(57)【要約】【課題】明るさの均一性とコントラストを向上させる反射型スクリーンを提供する。【解決手段】投射光源から出射された投射光を反射するスクリーン面１１を有する反射型スクリーン１であって、スクリーン面１１は、断面が鋸刃状であるサーキュラーフレネルレンズ部１２を備える。そして、サーキュラーフレネルレンズ部１２の同心円中心は、スクリーン面１１の外側に位置している。また、サーキュラーフレネルレンズ部１２は、同心円中心の側の傾斜面である第１斜面および第１斜面と反対側の傾斜面である第２斜面を有する単位プリズムの集合体として構成され、第１斜面は光反射面であり、第２斜面は非反射面である。【選択図】図２
2009169006.tif 000002
【特許請求の範囲】
【請求項１】
投射光源から出射された投射光を反射するスクリーン面を有する反射型スクリーンであって、
前記スクリーン面は、断面が鋸刃状であるサーキュラーフレネルレンズ部を備え、
前記サーキュラーフレネルレンズ部の同心円中心は、前記スクリーン面の外側に位置し、
前記サーキュラーフレネルレンズ部は、
前記同心円中心の側の傾斜面である第１斜面および前記第１斜面と反対側の傾斜面である第２斜面を有する単位プリズムの集合体として構成されており、
前記第１斜面は光反射面であり、
前記第２斜面は非反射面である
ことを特徴とする請求項１に記載の反射型スクリーン。
【請求項２】
前記サーキュラーフレネルレンズ部の基材が光吸収性材料により構成され、かつ、前記第１斜面に光反射層が設けられている
ことを特徴とする請求項１に記載の反射型スクリーン。
【請求項３】
前記サーキュラーフレネルレンズ部の基材が透光性材料により構成され、
前記第１斜面に光反射層が設けられ、
前記サーキュラーフレネルレンズ部の背面側には光吸収層を備える
ことを特徴とする請求項１に記載の反射型スクリーン。
【発明の詳細な説明】
【技術分野】
【０００１】
本発明は反射型スクリーンに関する。
【背景技術】
【０００２】
液晶、ＤＭＤ（Digital Micro mirror Device）を映像源としたフロントプロジェクタが広く普及している。特に、スクリーン前面に映像光Ｌ０を投射するフロントプロジェクタは、容易に画面を大型にすることができるという長所があるため、広く使用されている。ここで、透過型のプロジェクタに比べてフロントプロジェクタでは、明室で観視すると外光がスクリーン面で反射して映像のコントラストが低下しやすいという欠点がある。このような問題に対し、特許文献１では、反射部と非反射部からなるプリズム列を備えたスクリーンが開示されている。すなわち、特許文献１では、フレネル構造を有したフロント投影スクリーンが記載され、投射光が多く入射するフレネルファセットでは投射光を観者に向けて反射させ、外光が多く入射する立上がりフレネルファセットでは光の反射を抑制する。
このような構成により、高いコントラストが実現される。
【０００３】
また、特許文献２では、入射面側から、三角断面の垂直側面部に遮光性黒色層を有する微小突条を備える透光板と、透過型光拡散板と、さらに反射型フレネルシートと、を備えたスクリーンが記載されている。これにより、前面の透光板が有する遮光性黒色層にて外光の反射が抑制されて黒レベルが維持される。さらに、フレネルシートにより光束の反射方向を所定方向にできるため、透光板の遮光性黒色層によるケラレを少なくして光束の利用効率が高くなる。その結果、コントラストを高くできる。
【０００４】
しかしながら、近年では様々な投射配置でフロントプロジェクタが使用される。
例えば、フロントプロジェクタ２は机上に配置され、スクリーン１１０は観察者から見て机の影とならないようにスクリーン１１０全体が机の高さよりも上方に配設された図１５のような配置をとられることが多い。このような場合、フロントプロジェクタ２の投射系光軸Ｋ１はスクリーン１１０の下方側に偏った位置となり、さらには、投射系光軸Ｋ１の位置がスクリーン１１０の外側となる場合もある。
また、狭い室内でも大画面を観賞できるように、従来に比して投射距離が短いフロントプロジェクタ２も使用されている。このような投射配置で特許文献１あるいは特許文献２に記載のスクリーンを使用すると、スクリーンの四隅、特に左上、右上隅部分では映像光が外側へ反射してしまうため、スクリーン正面の観察者には四隅が暗い映像となってしまうという問題が生じる。
【０００５】
【特許文献１】特開平１−１６１２２８号公報
【特許文献２】特開平１１−３３８０５６号公報
【発明の開示】
【発明が解決しようとする課題】
【０００６】
本発明の目的は、投射系光軸がスクリーンから外れていても明るさの均一性とコントラストを向上させる反射型スクリーンを提供することにある。
【課題を解決するための手段】
【０００７】
本発明にかかる反射型スクリーンは、投射光源から出射された投射光を反射するスクリーン面を有する反射型スクリーンであって、前記スクリーン面は、断面が鋸刃状であるサーキュラーフレネルレンズ部を備え、前記サーキュラーフレネルレンズ部の同心円中心は、前記スクリーン面の外側に位置し、前記サーキュラーフレネルレンズ部は、前記同心円中心の側の傾斜面である第１斜面および前記第１斜面と反対側の傾斜面である第２斜面を有する単位プリズムの集合体として構成されており、前記第１斜面は光反射面であり、前記第２斜面は非反射面であることが好ましい。
【０００８】
このような構成によれば、投射光源と反射型スクリーンとの配置関係によって投射系光軸とスクリーン面とがずれる場合でも、サーキュラーフレネルレンズ部の同心円中心がスクリーン面の外側にあるので、スクリーン外にある前記同心円中心と投射系光軸があっていればスクリーン正面の観察者へ向けて映像光を有効に反射するとともに、外光の交じりは抑制することができる。その結果、スクリーンの全面において均一で高いコントラストを実現することができる。
また、この構成によれば、同心円中心の側から拡散して投射される映像光を第１斜面にて反射するとともに、第２斜面に多く入る外光は反射させることがない。その結果、スクリーン全体で均一でありかつコントラストの高い映像を実現できる。
【０００９】
なお、前記サーキュラーフレネルレンズ部の同心円中心は、反射型スクリーンを使用状態に設置した状態においてスクリーン面の下方向でスクリーンの外側に外れていることが好ましい。
このような構成によれば、狭い部屋においてスクリーンの下側でスクリーンに近接した位置に投射光源を配設することができ、スペース効率を向上させる。特に、スクリーン下のテーブルに投射光源を設置できることは自然であり、利用の便が非常に高い。
【００１０】
本発明では、
前記サーキュラーフレネルレンズ部の基材が光吸収性材料により構成され、かつ、前記第１斜面に光反射層が設けられている
ことが好ましい。
【００１１】
本発明では、前記サーキュラーフレネルレンズ部の基材が透光性材料により構成され、前記第１斜面に光反射層が設けられ、前記サーキュラーフレネルレンズ部の背面側には光吸収層を備えることが好ましい。
【００１２】
このような構成によれば、第１斜面のみに反射加工を施せばよく、第２斜面については基材のままでもよいため、製造工程を簡素化し製造コストを低廉にすることができる。
【発明の効果】
【００１３】
本発明によれば、投射系光軸がスクリーンから外れていても明るさの均一性とコントラストが向上するスクリーンを提供することができる。特に、投射距離が短いフロントプロジェクタを使用し、投射系光軸とスクリーンの中心とがずれる配置をとった場合には本発明の反射型スクリーンは非常に好適である。
【発明を実施するための最良の形態】
【００１４】
以下に、本発明を実施するための最良の形態について図を参照して説明する。
なお、本発明は、以下の実施の形態に限定されるものではない。
【００１５】
図１は本発明にかかる反射型スクリーン１（以下、スクリーン１と称する。）の使用形態の一例を示す模式図である。
投射光源（図示省略）を有する前面投射型表示装置（フロントプロジェクタ）２は、例えば、図１に示すように、スクリーン１の下端からさらに下方に設置されている。
即ち、前面投射型表示装置２の映像光（投射光）Ｌ０を出射する投射レンズ（図示省略）の投射系光軸Ｋ１が、スクリーン１の下方となっている。そして、前面投射型表示装置２から投射される映像光Ｌ０は、前面投射型表示装置２の投射系光軸Ｋ１を中心として放射線状に拡がってスクリーン１に到達するようになっている。言い換えれば、スクリーン１は前面投射型表示装置２の投射系光軸Ｋ１よりも上位に位置し、そのため、スクリーン１には映像光Ｌ０が下方から入射する。
【００１６】
反射型スクリーン１のスクリーン面１１は、断面が鋸刃状であるサーキュラーフレネルレンズ部１２を備えている。
図２は、反射型スクリーン１の斜視図にサーキュラーフレネルレンズ部１２の同心円Ｃを表す補助線を示したものである。
図３は、図２中のIII-III線における反射型スクリーン１の断面図である。
サーキュラーフレネルレンズ部１２は、図２に示すようにその同心円中心Ｃがスクリーン１の外側に位置する。
そして、サーキュラフレネルのピッチは０．３ｍｍ以下とすることが好ましく、これにより、投射される映像の画素ピッチと干渉して発生するモアレを防ぐことができる。
【００１７】
図４は、サーキュラーフレネルレンズ部１２の断面を一部抜き出して拡大した模式図である。
サーキュラーフレネルレンズ部１２は、図４に示されるように、その斜面に光反射面（１２１）と非反射面（１２２）とを有する。サーキュラーフレネルレンズ部１２は、単位プリズム１２０の集合体であり、各単位プリズム１２０において同心円中心Ｃの側の斜面である第１斜面（フレネル面）１２１を光反射面とする。言い換えると、サーキュラーフレネルレンズ部１２の鋸歯状単位プリズム１２０の観察面側斜面が第１斜面１２１として光反射面となっている。また、サーキュラーフレネルレンズ部１２の各単位プリズム１２０において同心円中心Ｃと反対側の斜面である第２斜面（ライズ面）１２２は非反射面となっている。
【００１８】
ここで、第１斜面（光反射面）１２１は略鏡面の反射層であっても良いし、微細な凹凸が形成された拡散反射層であっても良い。第１斜面（光反射面）１２１は凹曲面形状、凸曲面形状となるように形成することもできる。また、スパッタ、スピンコート、フォトレジストを利用したリフトオフなどによって第２斜面（非反射面）１２２に光吸収層を形成してもよい。
【００１９】
図５は、照明９からの外光Ｌ１と前面投射型表示装置（フロントプロジェクタ）２からの映像光Ｌ０とについてその経路を示す図である。
図５に示されるように、前面投射型表示装置（フロントプロジェクタ）２からの映像光Ｌ０は第１斜面１２１により観察者Ｍに向けて反射される一方、外光Ｌ１は直接または第１斜面１２１を経由して第２斜面１２２に至る。すると、観察者Ｍには前面投射型表示装置２からの映像光Ｌ０は入射し、外光Ｌ１は入射しない。その結果、観察者Ｍにはコントラストの高い映像が観察される。
【００２０】
このような反射型スクリーン１の製造について簡単に説明する。
サーキュラーフレネルレンズ部１２の基材は、例えば成形型と紫外線硬化性樹脂を用いて製造する事ができる。第１斜面１２１の反射層は蒸着、スパッタ、スピンコート、フォトレジストを利用したリフトオフ加工などによって形成できる。
【００２１】
さらに、サーキュラーフレネルレンズ部１２の基材の背面側に裏打ちシートを積層してもよい。例えば軟質塩化ビニル樹脂シートや、ポリエステルフィルムを粘着材、接着剤で貼り合せる事ができる。
【００２２】
あるいは、図６に示されるように、サーキュラーフレネルレンズ部１２の基材を光吸収性の材料としてもよい。すると、第２斜面１２２に光吸収層を設ける工程を省略できる。
【００２３】
または、図７に示されるように、サーキュラーフレネルレンズ部１２の基材を透光性の材料とし、背面側に光吸収層１２３を備えてもよい。すると、第２斜面１２２に入射した外光Ｌ１を背面側の光吸収層１２３で吸収し、コントラストを高めることができる。例えば基材をウレタン系紫外線硬化型樹脂で製造し、単位プリズムの第１斜面（フレネル面）１２１に反射層を形成した後、背面側に黒色インクを塗布する、あるいは透明粘着材を用いて黒色樹脂シートを貼り合せればよい。このような構成によれば、第２斜面１２２に光吸収層を設ける工程を省略できる。
【００２４】
また、図８に示されるように、サーキュラーフレネルレンズ部１２の観察側（表面側）に透明保護層１２４を設けてもよい。この場合、単位プリズム構造１２０の凹凸高さより厚い保護層とし、観察側の面（表面）を平坦とすることがより好ましい。これにより、埃などが付着しても比較的容易に除去できる。
さらに、透明保護層内には光拡散材を混入してもよく、さらには、透明保護層１２４の表面は微細な凹凸を有していることが好ましい。外光の映り込みを防ぐことができるためである。この場合の凹凸の程度はＲａ＝０．１〜３μｍ程度が好ましい。
【００２５】
次に、サーキュラーフレネルレンズ部１２の各単位プリズム１２０の角度について説明する。
第１斜面（フレネル面）１２１の角度（フレネル角）αは、斜め下方の前面投射型表示装置２から投写された映像光線Ｌ０を、スクリーン正面方向へ反射するような角度に設定される。第２斜面（ライズ面）１２２の角度（ライズ角）βは、斜め下方の前面投射型表示装置２から投写された映像光線Ｌ０が第２斜面（ライズ面）１２２に入射しないような角度に設定される。
【００２６】
図９を参照して、前面投射型表示装置２からの映像光Ｌ０をスクリーン１の正面に向けて反射させるためには、第１斜面（フレネル面）１２１の角度αは次のようになる。なお、フレネルの円弧をＲ、プロジェクタ２の投写距離をｄとする（図１０参照）。
【００２７】
【数１】
2009169006.tif 000003
【００２８】
上記（１）式を満たすθについて第１斜面１２１の角度（フレネル角）αが次のように求められる。
【００２９】
【数２】
2009169006.tif 000004
【００３０】
第２斜面１２２の角度（ライズ角）βに関しては、映像光Ｌ０の反射ロスを防ぐために、投射映像光Ｌ０が第２斜面（ライズ面）１２２に入射しない角度に設定する必要がある。
すなわち、次の関係式を満たす必要がある。
【００３１】
【数３】
2009169006.tif 000005
【００３２】
第２斜面１２２の角度（ライズ角）βについては光学性能上、特にその上限はない。
しかし９０度を超えると成形型の製造や成形が困難になるため、９０度以下とすることが好ましい。
【００３３】
図１１を参照して、表層に屈折率ｎの透明保護層１２４で最表面が平面になるようオーバーコートした場合について説明する。
このようなオーバーコートをした場合、オーバーコートする透明媒質の屈折率をｎ、透明媒質による屈折角をθ'とすると、映像光Ｌ０の入射角θに対して次の関係になる。
【００３４】
【数４】
2009169006.tif 000006
【００３５】
【数５】
2009169006.tif 000007
【００３６】
すなわち、第１斜面１２１の角度（フレネル面）の角度αは次のようになる。
【００３７】
【数６】
2009169006.tif 000008
【００３８】
また、第２斜面１２２の角度（ライズ角）βに関しては次の式となる。
【００３９】
【数７】
2009169006.tif 000009
【００４０】
以上の説明では第１斜面（フレネル面）１２１の角度αについて、スクリーン全面で映像光線をスクリーン正面方向へ反射する角度設計について述べたが、本発明はこれに限るものではない。
例えば上下左右いずれかの方向へ偏向して反射させる設計や、スクリーン正面へやや収束するように内向きに反射させる設計としても良い。
【００４１】
前面投射型表示装置２とスクリーン１の配置および観視位置の汎用性を考慮すると、反射面である第１斜面１２１を微細な凹凸が形成された拡散反射層としたり、透明保護層内に光拡散材を混入するなどの視野角拡大処理をしてもよい。
【００４２】
以上、説明したように、本実施形態にかかるスクリーン１では、サーキュラーフレネルレンズ部１２の同心円中心Ｃはスクリーン１の外側に位置している。
その結果、投射距離が短いフロントプロジェクタを使用した場合でも明るくコントラストが向上したスクリーンを簡易に製造することができる。
同心円中心Ｃがスクリーン面内にある場合、投射系光軸Ｋ１とスクリーン１とがずれた配置では投射光をスクリーン正面の観察者Ｍへ有効に反射することができず、スクリーン四隅が暗くなることがある。
これに対し、本実施形態では、サーキュラーフレネルレンズ部１２の同心円中心Ｃがスクリーン１の外側であってスクリーン１の下端よりも下方に位置する。
従って、前面投射型表示装置２の投射距離が短く、スクリーン１の下端よりもやや下方に前面投射型表示装置２が設置された場合でも、スクリーン正面の観察者へ有効に映像光を反射することができる。その結果、スクリーン１の全面で明るく、コントラストが優れる。
【００４３】
なお、図１２はスクリーン１、前面投射型表示装置２および観察者Ｍを天井方向から見た模式図である。
上下方向のみならず左右方向についても、スクリーン面１１にサーキュラーフレネルレンズ部を有しているので、スクリーンの四隅、特に左上隅、右上隅へ入射した映像光をスクリーン正面の観察者Ｍへ有効に映像光を反射することができることが判る。
【００４４】
（実施例）
本実施例として、以下のように、スクリーン１を作製した。
まず旋盤を使用して同心円状のフレネルレンズ部１２と逆形状の金型を作成した。
前記同心円のピッチは０．１ｍｍとした。第１斜面（フレネル面）１２１となる面の角度（フレネル角）αは同心円中心付近で約０度、最外周付近で約２０度とした。第２斜面（ライズ面）１２２の角度（ライズ角）βは同心円中心付近で約９０度、最外周付近で約６０度とした。次いで前記金型の全面にウレタン系紫外線硬化性樹脂液を塗布し、０．１５ｍｍ厚みの透明ポリエステルシートを積層した後、前記透明ポリエステルシート側から紫外線を照射して樹脂液を硬化することでフレネルレンズ部基材シートを作成した。硬化後の紫外線硬化性樹脂の厚みは約０．１ｍｍであった。
【００４５】
その後、前記フレネルレンズ部基材シートに金属蒸着処理を行い、第１斜面１２１に反射層を形成してフレネルレンズ部シートを作製した。このとき、蒸着源はフレネルの同心円中心軸上かつシート面から約１ｍ離れた位置に配置した。これにより第２斜面（ライズ面）１２２には反射層は形成されなかった。
【００４６】
次いで前記フレネルレンズ部シートの表面全体に光拡散剤含有の紫外線硬化性ハードコート樹脂液を塗布し、紫外線を照射して樹脂液を硬化した。硬化後のハードコート層の屈折率は１．５５、厚みは約０．０５ｍｍであった。これにより観察側の面はほぼ平坦となった。
また拡散剤としては粒径８μｍのアクリル系光拡散剤を使用し、濃度は４重量％とした。
【００４７】
その後、前記フレネルレンズ部シートの透明ポリエステルシート側の全面に黒色インクを塗布して光吸収層を形成した。
さらに前記黒インクに重ねてウレタン系樹脂製の背面保護層を塗布して形成した。
【００４８】
その後、前記フレネルレンズ部シートを裁断し、巻き取り治具を取り付けてスクリーンを完成した。スクリーンの有効サイズは高さ１．２２ｍ、幅１．６３ｍの対角８０インチサイズとした。このとき、フレネルの同心円中心はスクリーン幅方向中間の延長線上でスクリーン有効サイズ下端から下方０．１５ｍの位置にあった。また第１斜面（フレネル面）１２１の角度αはスクリーン幅方向中間のスクリーン有効サイズ下端で約３度、スクリーン幅方向中間のスクリーン有効サイズ上端で約１６度であった。第２斜面（ライズ面）１２２の角度βはスクリーン幅方向中間のスクリーン有効サイズ下端で約８５度、最外周付近で約６０度であった。
【００４９】
（実施例の評価）
本実施例のスクリーン１について映像目視評価を行った。
【００５０】
図１３、図１４に、本実施例におけるスクリーンの配置状態の一例が示されている。
図１３、図１４に示すように、明室内において実施例のスクリーン１に映像を投射し、その明るさ及びコントラストを目視により評価した。
ここで用いた前面投射型表示装置２（投射光源）は、三洋電機株式会社製「ＬＰ−ＸＬ４０」型である。
前面投射型表示装置２の投射系光軸Ｋ１がスクリーンの下端から約０．１５ｍに位置するように、前面投射型表示装置２を配置した。
照明（外光光源）は蛍光灯照明である。当該照明のスクリーン中央部での照度は点灯時３６０ルクスであった。
【００５１】
本実施例の配置かつ角度設定である場合、直接又は反射層（第１斜面１２１）で反射した後に第２斜面（ライズ面）１２２に入射し、裏の黒インク層で吸収される外光は、上端で３０％、下端で１２％となる。残りの反射光は一旦観察側へ向かうが、もし透明オーバーコート層の入射面が鏡面ならそこで全反射して再び第２斜面（ライズ面）へ入射する経路をたどり、全外光は第２斜面（ライズ面）へ入射して、裏の黒インク層で吸収されることになる。
ここで、透明オーバーコート層の入射面はマット面であるので、必ずしも全反射しないところ、反射率を５０％と仮定すると、外光吸収効率は上端６５％、下端で５５％と見積もれる。このような仮定のもとにおける総合的な外光吸収効率は全面で約５０％と見積もられる。
【００５２】
＜映像目視評価＞
映像目視評価を行うために、照明を点灯状態とし、ＴＶ映像を実施例のスクリーン１に投射して、目視で評価した。その結果、スクリーン全面で映像が明るく表示され、映像のコントラストも優れていた。このように、本発明によれば、明るさの均一性とコントラスト性能が優れた反射型スクリーンを容易に製造することができることが示された。
【００５３】
本発明の反射型スクリーンは上述の実施形態における使用状態のみならず、他の使用態様で用いられてもよいことはもちろんである。
例えば、投射光源がスクリーンの下方に設置されて光を上方に向けて発射する場合のみならず、投射光源がスクリーンの上方に設置されて光を下方に向けて発射してもよい。この場合、サーキュラーフレネルレンズ部の同心円中心は、投射光源の光軸の側に配置される。
また、サーキュラーフレネルレンズ部の鋸歯状単位プリズムは上述の三角形状以外に、頂部が面取りされていても良いし、多角形であっても良い。
【図面の簡単な説明】
【００５４】
【図１】本発明に係る実施形態において、反射型スクリーンの使用形態の一例を示す模式図。
【図２】前記実施形態において、反射型スクリーンの斜視図にサーキュラーフレネルレンズ部の同心円を表す補助線を示した図。
【図３】前記実施形態において、図２中のIII-III線における反射型スクリーンの断面図。
【図４】前記実施形態において、サーキュラーフレネルレンズ部の断面を一部抜き出して拡大した模式図。
【図５】前記実施形態において、照明からの外光と前面投射型表示装置からの映像光とについてその経路を示す図。
【図６】前記実施形態において、サーキュラーフレネルレンズ部の基材を光吸収性の材料で構成した場合を示す図。
【図７】前記実施形態において、サーキュラーフレネルレンズ部の基材を透光性の材料とし背面側に光吸収層を備えた場合を示す図。
【図８】前記実施形態において、サーキュラーフレネルレンズ部の観察側に透明保護層を設けた場合を示す図。
【図９】前記実施形態において、前面投射型表示装置からの映像光Ｌ０がスクリーンで反射される場合に第１斜面の角度と第２斜面の角度とを含めた角度関係を示す図。
【図１０】前記実施形態において、フレネルの円弧Ｒおよびプロジェクタの投写距離ｄを示す図。
【図１１】前記実施形態において、表層を透明保護層でオーバーコートした場合の角度関係を示す図。
【図１２】前記実施形態において、スクリーン、前面投射型表示装置および観察者を天井方向から見た模式図。
【図１３】本発明に係る実施例において、スクリーンの配置の一例を側面から見た状態を示す図。
【図１４】本発明に係る実施例において、スクリーンの配置の一例を上方から見た状態を示す図。
【図１５】背景技術の説明において投射型表示装置と反射型スクリーンの配置関係を示す図。
【符号の説明】
【００５５】
１…反射型スクリーン、２…前面投射型表示装置、１１…スクリーン面、１２…サーキュラーフレネルレンズ部、１１０…スクリーン、１２０…単位プリズム、１２１…第１斜面、１２２…第２斜面、１２３…光吸収層、１２４…透明保護層。
【図１】
2009169006.tif 000010
【図２】
2009169006.tif 000011
【図３】
2009169006.tif 000012
【図４】
2009169006.tif 000013
【図５】
2009169006.tif 000014
【図６】
2009169006.tif 000015
【図７】
2009169006.tif 000016
【図８】
2009169006.tif 000017
【図９】
2009169006.tif 000018
【図１０】
2009169006.tif 000019
【図１１】
2009169006.tif 000020
【図１２】
2009169006.tif 000021
【図１３】
2009169006.tif 000022
【図１４】
2009169006.tif 000023
【図１５】
2009169006.tif 000024